(57)【要約】【課題】  贈答品を包装するギフトボックスにおいて、単に、思いかけない立体的形状が現われることから見る者を驚かせ、楽しませるだけのポップアップ機構を備えたものでは、そのギフトボックスをもらった者が、視覚的に更なる注意力を喚起させることになるといっても、贈答をもらう意図、理由が分からないのでは気味悪く思われ、感謝されることに至らず、贈答の価値効果を乏しくする。【解決手段】  贈答を理由付ける物語が４コマの絵で表現され、その絵を物語に準じて底板の周囲辺に形成された４側面板の外面に印刷した箱本体と、該箱本体に被蓋する蓋体とで構成し、該蓋体には、天蓋上に、該天蓋と同じ大きさで同形状のフラップが設けられ、該フラップと天蓋との間に、贈答することで贈答者を天にも昇る気分にさせることが画かれた切り絵を、天蓋の上面とフラップの内面に貼着された断面平行四辺形状の支持枠と接続し、フラップを開くことにより追従して切り絵がポップアップする機構を設けたポップアップギフトボックスである。【特許請求の範囲】
【請求項１】
贈答を理由付ける物語が４コマの絵で表現され、その絵を物語に順じて底板の周囲辺に形成された４側面板の外面に印刷した箱本体と、該箱本体に被蓋する蓋体とで構成し、該蓋体には、天蓋上に、該天蓋と同じ大きさで同形状のフラップが設けられ、該フラップと天蓋との間に、贈答することで贈答者を天にも昇る気分にさせることが画かれた切り絵を、天蓋の上面とフラップの内面に貼着された断面平行四辺形状の支持枠とに接着し、フラップを開くことにより追従して切り絵がポップアップする機構を設けたことを特徴とするポップアップギフトボックス。
【請求項２】
蓋体には、天蓋上に、該天蓋と同じ大きさで同形状のフラップが設けられ、該フラップと上面に雲が印刷された天蓋との間に、贈答することで贈答者を天にも昇る気分にさせることが画かれた切り絵を、天蓋の上面とフラップの内面に貼着された断面平行四辺形状の支持枠とに接着し、フラップを開くことにより追従して切り絵がポップアップする機構を設けたことを特徴とする請求項１記載のポップアップギフトボックス。
【請求項３】
贈答を理由付ける物語が４コマの絵で表現され、その絵を物語に順じ帯状ラベルに印刷し、該帯状ラベルをそれに印刷された絵の１コマ１コマが箱本体の４側面板の外面に各自相対するよう貼着した箱本体と、該箱本体に被蓋する蓋体とで構成されることを特徴とする請求項１乃至２のいずれか１項記載のポップアップギフトボックス。
【発明の詳細な説明】
【技術分野】
【０００１】  本発明は、ポップアップ機構を備えたギフトボックスに関するものである。
【背景技術】
【０００２】  従来、絵本やカードには、それが開かれると、それに連動して内部に細工された切り絵が起き上がるポップアップ機構を備えたものがある。【０００３】  そして、包装箱においても、底板と、該底板の周囲辺を囲む側面板とからなる箱本体と、そして、天蓋と、該天蓋の周囲辺を囲む側面板とからなる蓋体とがヒンジ部によって連結されるギフトボックスであって、蓋体及び箱本体のそれぞれの側面板の内面に沿ってヒンジ部を覆うように設置された張力調整板を設け、その背面と、蓋体の側面板に接続された切り絵とが、切り絵支持板によって接続されて支持され、蓋体の動きに連動して開いたときには、蓋体と切り絵とを略直立させる、即ち、ポップアップ機構が備えられたものであった。【０００４】  また、周壁の側面板の辺縁から内フラップ及び外フラップを延出し、側面板と共に外フラップが外装となるよう内フラップに外フラップを重ね合わせて封緘する包装箱において、外フラップに覆われる内フラップの表面には広告を印刷し、外フラップを開くと内フラップの印刷が現われるようにし、顧客が商品を取り出そうとして外フラップを開いたときには、内フラップの表面の広告印刷が必ず顧客の目に入り、高い訴求効果が得られるものである。
【先行技術文献】
【特許文献】
【０００５】
【特許文献１】  実用新案登録第３１５２３７４号公報
【特許文献２】  特開２００７−２６１６８４号公報
【発明の概要】
【発明が解決しようとする課題】
【０００６】  贈答品を包装するギフトボックスにおいて、単に、思いがけない立体的形状が現われることから見る者を驚かせ、楽しませるだけのポップアップ機構を備えたものでは、そのギフトボックスをもらった者が、視覚的に更なる注意力を喚起させることになるといっても、贈答をもらう意図、理由が分らないのでは気味悪く思われ、感謝されることに至らず、贈答の価値効果が乏しい。【０００７】  また、包装箱に外フラップ、内フラップを設け、外フラップに覆われる内フラップの表面に広告、及びキャンペーンの告知情報が印刷され、外フラップを開くと内フラップの印刷が現われるものは、内フラップの表面の広告、及び告知情報が必ず顧客の目に入り、高い訴求効果が得られるとしても、ギフトボックスでないので、贈答の感覚を得られるものでなく、贈答効果、及び価値を上げられるものではない。【０００８】  そこで、本発明は、贈答の訳を４コマの絵の物語にして明かし、この４コマの絵を箱本体の側面板の外面に表し、贈答が贈答者を天にも昇る気分にさせることを切り絵に画き、その切り絵によるポップアップ機構が蓋体の天蓋に設けられるポップアップギフトボックスを提供することが目的である。
そして、贈答を受けた者は、箱本体の側面板に表された絵を見て、贈答の訳を知り、蓋体の天蓋に設けられた切り絵のポップアップ機構を見て、贈答者の心を伺い見ることができ、感激、感謝する。
【課題を解決するための手段】
【０００９】  本発明のポップアップギフトボックスは、贈答を理由付ける物語が４コマの絵で表現され、その絵を物語に順じて底板の周囲辺に形成された４側面板の外面に印刷した箱本体と、該箱本体に被蓋する蓋体とで構成し、該蓋体には、天蓋上に、該天蓋と同じ大きさで同形状のフラップが設けられ、該フラップと天蓋との間に、贈答することで贈答者を天にも昇る気分にさせることが画かれた切り絵を、天蓋の上面とフラップの内面に貼着された断面平行四辺形状の支持枠とに接着し、フラップを開くことにより追従して切り絵がポップアップする機構を設けたものである。【００１０】  本発明のポップアップギフトボックスは、蓋体には、天蓋上に、該天蓋と同じ大きさで同形状のフラップが設けられ、該フラップと上面に雲が印刷された天蓋との間に、贈答することで贈答者を天にも昇る気分にさせることが画かれた切り絵を、天蓋の上面とフラップの内面に貼着された断面平行四辺形状の支持枠とに接着し、フラップを開くことにより追従して切り絵がポップアップする機構を設けたものである。【００１１】  また、本発明のポップアップギフトボックスは、贈答を理由付ける物語が４コマの絵で表現され、その絵を物語に順じ帯状ラベルに印刷し、該帯状ラベルをそれに印刷された絵の１コマ１コマが箱本体の４側面板の外面に各自相対するよう貼着した箱本体と、該箱本体に被蓋する蓋体とで構成されるものである。
【発明の効果】
【００１２】  本発明のポップアップギフトボックスは、贈答を理由付ける物語が４コマの絵で表現され、その絵を物語に順じ、箱本体の４側面板の外面に印刷されているので、贈答に高い評価を得ることができ、また、蓋体の天蓋とその上のフラップとの間に設けられた切り絵のポップアップ機構によって、感謝と、感激されることになる。そして、贈答による高い効果を得ることができる。
なお、蓋体の天蓋の上面に雲が印刷されることによって、贈答者を雲より高く昇る気分にさせることになる。【００１３】  そして、本発明のポップアップギフトボックスは、贈答を理由付ける物語が４コマの絵で表現され、その絵を帯状ラベルに物語に順じて印刷し、該帯状ラベルをそれに印刷された絵の１コマ１コマが箱本体の４側面板の外面に各自相対するよう貼着されるので、色々の物語が印刷された帯状ラベルを得ることができ、それを取捨選択するだけで、好みのものに変更することができ、多様性に富み、高い贈答効果を得ることができ、商品としての訴求効果も得ることができる。
【図面の簡単な説明】
【００１４】
【図１】  ポップアップギフトボックスの斜視図である。
【図２】  ポップアップギフトボックスの箱本体の側面板の外面に順じ印刷される物語の４コマの絵である。
【図３】  ポップアップギフトボックスの箱本体の側面板の外面に貼着する物語の４コマの絵が印刷された帯状ラベルである。
【図４】  ポップアップギフトボックスのポップアップ機構を示す側面図である。
【発明を実施するための形態】
【００１５】  本発明のポップアップギフトボックスは、図１に示す如く、底板とその周囲辺に形成された４側面板１１とでなる箱本体１と、該箱本体に被蓋する、天蓋２０とその周囲辺に垂下する４側面板２１とヒンジ部３を介して天蓋２０上部に同じ大きさで同形状のフラップ２２とでなる蓋体２とによって構成されている。
箱本体１には、贈答を理由付ける物語が、図２に示す如く、４コマの絵１２、例えば、好意をよせる者へ贈答する理由付けの物語の場合、１絵（花に氣付き）１２１、２絵（花に見とれ）１２２、３絵（花に魅了され）１２３，４絵（花に陶酔され）１２４で表現され、その絵１２を物語に順じ、４側面板１１１，１１２，１１３、及び１１４の外面に印刷し、蓋体２には、天蓋２０と該天蓋にヒンジ部３を介して接続されたフラップ２２と、例えば、好意を寄せる者への贈答で天にも昇る気分になっている場合、そのフラップ２２と上面に浮かぶ雲２０１が印刷された天蓋２０との間に四つ葉のクローバー状のアドバルーン２３１に掴まる者２３２を画いた切り絵２３が、図４に示す如く、天蓋２０の上面とフラップ２２の内面に貼着された断面平行四辺形状の支持枠２４とに接着され、フラップ２２をひらくことにより、追従して切り絵２３がポップアップされる機構を設けたものである。
なお、フラップ２２には、切り絵２３の天にも昇る気分でいる者２３２が舞い上がっている様子を効果的に示すため、浮ぶ雲２２１及び遠くに聳える樹木２２２が画かれている。
【００１６】  また、本発明のポップアップギフトボックスは、図３に示す如く、箱本体１には贈答を理由付ける物語が４コマの絵１２、例えば、１絵（花に気付き）１２１、２絵（花に見とれ）１２２、３絵（花に魅了され）１２３、及び４絵（花に陶酔される）１２４で表現され、その絵１２を物語に順じ、帯状ラベル４に印刷し、該帯状ラベルに印刷された絵１２の１コマ１コマが箱本体１の４側面板１１の外面に各自相対するように貼着し、この箱本体１にポップアップ機構を備えた蓋体２を被蓋してなるものである。
【００１７】  本発明のポップアップギフトボックスは、箱本体１の周囲の４側面板１１の外面に施された贈答の物語による絵１２によって、贈答される理由を把握し得、蓋体２のフラップ２２を開くことによりポップアップされる切り絵２３によって、贈答される有り難さ、感謝が涌き、贈答効果を高め、且つ、有効性を有するものとなる。
【符号の説明】
【００１８】  １      箱本体
１１    側面板
１１１  側面板
１１２  側面板
１１３  側面板
１１４  側面板
１２    絵
１２１  １絵（花に気付く）
１２２  ２絵（花に見とれる）
１２３  ３絵（花に魅了する）
１２４  ４絵（花に陶酔する）
２      蓋体
２０    天蓋
２０１  雲
２１    側面板
２２    フラップ
２２１  雲
２２２  樹木
２３    切り絵
２３１  アドバルーン
２３２  アドバルーンに掴まる者
２４    支持枠
３      ヒンジ部
４      帯状ラベル
４１    のり代
【図１】
2018039566.tif 000002
【図２】
2018039566.tif 000003
【図３】
2018039566.tif 000004
【図４】
2018039566.tif 000005